(57)【要約】      （修正有）【課題】生産者と消費者が交流でき安定的な売買活動が行えるオンラインマルシェシステムを提供する。【解決手段】オンラインマルシェシステムは、複数人でのオンラインビデオ通話が可能なオンライン会議アプリケーション１、並びにオンライン決済サイト２を活用して、生産者３と消費者４が同一日時にオンライン上に集い、実際に一箇所の場所に集い売買活動が行われるマルシェ（市場）のように、リアルタイムに互いの顔を確認して交流しつつ売買活動を行うことが可能であり、消費者４は希望する商品やサービスをオンライン決済サイト２を通して購入することが可能な、オンラインマルシェイベントを提供する。【選択図】図１
0003232531.tif 000002
【実用新案登録請求の範囲】
【請求項１】
オンライン会議アプリケーション、並びにオンライン決済サイトを活用して売買活動を行うオンラインマルシェライブイベントを提供するためのシステムであって、少なくとも一人の消費者と少なくとも一人の生産者とが、前記オンライン会議アプリケーションを介して、実際に一箇所の場所に集い売買活動が行われるマルシェ（市場）のように、リアルタイムに互いの顔を確認して交流しつつ売買活動を行うことが可能な、オンラインマルシェライブイベントを提供するオンラインマルシェシステム。
【請求項２】
前記オンライン会議アプリケーションは、受付役が前記消費者の応対をする、インターネット上のバーチャルのメインルームを提供とともに、前記生産者には別途バーチャルの個別ルームを提供して、当該個別ルームを店舗として使用させ、当該個別ルームにおいて前記消費者との交流を図らせ、前記消費者に対して、前記生産者の店舗に入店したかのような感覚で生産者との個別交流を実行させる、請求項１に記載のオンラインマルシェシステム。
【請求項３】
前記消費者が前記オンラインマルシェライブイベントを通して前記生産者と交流したその場で前記生産者から商品またはサービスを購入可能とするためのオンライン決済サイト、および前記消費者が前記オンラインマルシェライブイベント期間外にも希望する商品またはサービスを購入可能とするためのオンライン決済サイトをさらに有する、請求項１または２に記載のオンラインマルシェシステム。
【考案の詳細な説明】
【技術分野】
【０００１】オンライン会議アプリケーション（１）、並びにオンライン決済サイト（２）を活用して売買活動を行うオンラインマルシェライブイベントを提供するためのシステムであって、少なくとも一人の消費者（４）と少なくとも一人の生産者（３）とが、オンライン会議アプリケーション（１）を介して、実際に一箇所の場所に集い売買活動が行われるマルシェ（市場）のように、リアルタイムに互いの顔を確認して交流しつつ売買活動を行うことが可能な、オンラインマルシェイベントを提供するオンラインマルシェシステムである。
【背景技術】
【０００２】消費者にとって、ただ商品を購入するだけでなく、生産者に直接出会うことができるマルシェ（市場）は、生産者の人柄や商品への思いに直接触れることのできる場であり、生産者にとっても消費者の声を直接聞くことができる、双方が直にふれあえる貴重な場であるが、多くの場合それらは屋外で開催されるため、天候を始めとする様々な要因から当日の開催が困難になる状況が多々発生していた。加えて今日のように、不特定多数の人が同一場所に集うことさえ困難となる状況が続く中で、いかなる外的要因にも左右されず、従来のような生産者と消費者をマッチングさせる安定的な場の提供が必要とされていた。
【考案の概要】
【考案が解決しようとする課題】
【０００３】インターネットを活用したオンラインショッピングの形態はすでに存在するが、直接会っているかのように、生産者と消費者がリアルタイムに会話をしてマルシェのような触れ合いができる、オンラインによるマルシェのような売買活動が可能なライブイベントの場は存在しなかった。【０００４】このような問題を解決するために、本考案は、生産者と消費者を交流させるオンラインマルシェライブイベントの場としてオンライン会議アプリケーションを活用することに加え、オンラインマルシェライブイベント期間外にも商品やサービスの購入を可能にするための各種オンライン決済サイトを構築し、消費者が求める生産者と引き合せるマッチングシステムとして、オンラインマルシェシステムを提供することを目的とする。
【課題を解決するための手段】
【０００６】上記目的は、下記の手段によって達成される。【０００７】本考案は、複数人でのオンラインビデオ通話が可能なオンライン会議アプリケーション（１）を活用して、生産者（３）と消費者（４）が同一日時にオンライン上に集うことで、実際に一箇所に集い売買活動が行われるマルシェ（市場）のような交流をオンライン上で実現させるものである。また、その場で紹介された商品やサービスは、別途オンライン決済サイト（２）を通して購入することが可能となる。
【考案の効果】
【０００８】本考案は、複数人でのオンラインビデオ通話が可能なオンライン会議アプリケーション（１）を活用して、生産者（３）と消費者（４）が同一日時にオンライン上に集うことで、マルシェ（市場）のような不特定多数の人が同一場所に集い売買活動を行うライブイベントをオンライン上で実現させることで、生産者（３）と消費者（４）が実際には会うことなく、しかし会っているのと同じ感覚での直接交流を可能にする。これによって消費者（４）は生産者（３）を直接知ることができ、生産者（３）は消費者（４）の生の声を直に聞くことができる。また、その場で紹介された商品やサービスは、オンライン決済サイト（２）にアクセスして購入することができ、ライブイベント期間外にも購入が可能である。本考案によって、天候や様々な情勢に左右されることなく安定的にマルシェ（市場）のような売買活動を行うライブイベントの実施が可能となり、生産者（３）はイベントの中止による在庫リスクも回避することが可能となる。
【図面の簡単な説明】
【０００９】
【図１】本考案であるオンライン会議アプリケーションを活用したオンラインマルシェシステムのシステム概略構成を示す図である。
【図２】本考案であるオンライン会議アプリケーションを活用したオンラインマルシェシステムの実行手順を示すシステムフローチャートである。
【図３】本考案に関わるオンライン会議アプリケーションのバーチャル上のメインルームの画面の例を示す図である。
【図４】本考案に関わるオンライン会議アプリケーションのバーチャル上の個別ルームの画面の例を示す図である。
【図５】本考案に関わるオンライン会議アプリケーションのバーチャル上の個別ルームを選択する選択メニュー画面の例を示す図である。
【考案を実施するための形態】
【０００７】以下、添付した図面を参照して、本考案の実施形態を説明する。なお、図面の説明において同一の要素には同一の符号を付し、重複する説明を省略する。
【実施例】
【０００８】図１は、本考案のシステム概略構成図である。図１の１はオンライン会議アプリケーションを示し、２はオンライン決済サイトを示す。３は生産者、４は消費者をそれぞれ示している。１のオンライン会議アプリケーション及び２のオンライン決済サイトは、それぞれＣＰＵ、記憶装置、通信インターフェース等を有するサーバー等のコンピューターが所定のプログラムを実行することによって提供される。３の生産者及び４の消費者は、それぞれＰＣやスマートフォン等の情報端末を使用して、インターネット等のネットワークを介して上記のサーバー等にアクセスし、各構成によって提供される機能を利用する。以下、１のオンライン会議アプリケーション、２のオンライン決済サイト、３の生産者、４の消費者等の各構成は、それぞれ１〜４等の符号のみによって示される。３と４が同一日時に１へログインすることで、オンライン上での直接交流が可能となり、４は２のサイトへアクセスして希望する商品やサービスの購入決済を行い、３は受注した商品やサービスを２へ直送するシステムである。【０００９】図２は、本考案の実施手順を示すシステムフローチャートである。１００は消費者サイドのフローチャート部分を示す。５０はオンラインマルシェライブイベントのバーチャル会場における各生産者のバーチャルショップのブロック図を示す。
１００の第１ステップとして、インターネットサイトやＳＮＳなどあらゆる宣伝媒体を通して消費者（４）をオンラインマルシェライブイベントの告知サイトへ誘致する（Ｓ１）。第２ステップとして、オンラインマルシェライブイベント告知サイトの来場者申し込み受付を行い（Ｓ２−１）、申込み確認メールにてオンラインマルシェライブイベント詳細ＵＲＬを送信する（Ｓ２−２）。第３ステップとして、１へログインするための専用ＩＤ及びパスコードを提示（Ｓ３−１）し、４はこれを用いてオンラインマルシェライブイベント当日の開催期間中に１へログインする（Ｓ３−２）。第４ステップとして、１へログイン後、５０に示す通り、希望する生産者ショップのバーチャル上の個別ルームを１店舗ずつ好きな順序で行き来することが可能となる（Ｓ４）。第５ステップとして、４はオンラインマルシェライブイベントに出店した生産者の商品やサービスを、各種オンライン決済サイトにて好きな時に購入することが可能である（Ｓ５）。【００１０】図２の２００は生産者サイドのフローチャート部分を示す。前記に続き、２００の実施ステップを説明する。２００の第１ステップとして、オンラインマルシェライブイベントの出店申し込みを受付ける（Ｓ１０）。第２ステップとして、オンラインマルシェ専用購入サイトをはじめとする各種オンライン決済サイトへ出店商品の登録を行う（Ｓ１１）。第３ステップとして、３はオンラインマルシェライブイベント当日の開催期間中、１へログインし５０に示す各自のバーチャル上の個別ルームに常駐し、来訪した４との直接交流を通して営業活動を行う。また、第４ステップとして、３は別途受注した商品を４へ直送する（Ｓ１４）システムである。【００１１】図３は１のバーチャル上のメインルームの画面の例を示す図であり、４が１にログインして最初に表示される画面である。Ｇ００はオンラインマルシェライブイベント受付役のウィンドウ画面を示し、Ｇ０１は来場者（消費者）ウィンドウ画面を示す。【００１２】図４は１のバーチャル上の個別ルームの画面の例を示す図であり、各生産者の個別ルームすなわちバーチャル上の店舗の様子を示している。Ｇ０２は出店者である３の個別ルームであり、この個別ルームすなわちバーチャル上の店舗にＧ０１が複数名来場した場合は、図４のＧ０１−ａ、Ｇ０１−ｂ、Ｇ０１−ｃ、Ｇ０１−ｄのように示される。【００１３】図５は１のバーチャル上の個別ルームを選択する選択メニュー画面の例を示す図であり、Ｇ０３が前記選択メニューのウィンドウ画面である。このＧ０３に全ての個別ルームすなわちバーチャル上の店舗が列記されており、４はＧ０３に表示される項目から訪問したい個別ルームすなわちバーチャル上の店舗を選択することで、図４に示す通り、該当する個別ルームの画面に入ることが可能となる。
【符号の説明】
【００１２】１  オンライン会議アプリケーション
２  オンライン決済サイト
３  生産者
４  消費者
５０  オンラインマルシェライブイベント会場の各生産者のバーチャルショップのブロック図
１００  消費者サイドのフローチャート
２００  生産者サイドのフローチャート
Ｇ００  受付役ウィンドウ
Ｇ０１  来場者（消費者）ウィンドウ画面
Ｇ０１−ａ  来場者（消費者）ウィンドウ画面
Ｇ０１−ｂ  来場者（消費者）ウィンドウ画面
Ｇ０１−ｃ  来場者（消費者）ウィンドウ画面
Ｇ０１−ｄ  来場者（消費者）ウィンドウ画面
Ｇ０２  生産者の個別ルーム
Ｇ０３  生産者の個別ルーム選択画面
【図１】
0003232531.tif 000003
【図２】
0003232531.tif 000004
【図３】
0003232531.tif 000005
【図４】
0003232531.tif 000006
【図５】
0003232531.tif 000007
【手続補正書】
【提出日】令和3年2月25日(2021.2.25)
【手続補正１】
【補正対象書類名】実用新案登録請求の範囲
【補正対象項目名】全文
【補正方法】変更
【補正の内容】
【実用新案登録請求の範囲】
【請求項１】
オンライン会議アプリケーション、並びにオンライン決済サイトを活用して売買活動を行うオンラインマルシェライブイベントを提供するための実現させる手段、情報端末とサーバーが連携するシステム、少なくとも一人の消費者と少なくとも一人の生産者とが、前記オンライン会議アプリケーションを介して、実際に一箇所の場所に集い売買活動が行われるマルシェ（市場）のように、リアルタイムに互いの顔を確認して交流しつつ売買活動を行うことが有するプログラムが格納されたサーバー、オンラインマルシェライブイベントを提供するオンラインマルシェシステム。
【請求項２】
前記オンライン会議アプリケーションは、受付役が前記消費者の応対をする、インターネット上のバーチャルのメインルームを提供とともに、前記生産者には別途バーチャルの個別ルームを提供して、当該個別ルームを店舗として使用させ、当該個別ルームにおいて前記消費者との交流を図らせ、前記消費者に対して、前記生産者の店舗に入店したかのような感覚で生産者との個別交流を実行させる、機能を有するアプリケーションが格納されたサーバーを備えた、「請求項１に記載のオンラインマルシェシステム。
【請求項３】
前記消費者が前記オンラインマルシェライブイベントを通して前記生産者と交流したその場で前記生産者から商品またはサービスを購入可能とするためのオンライン決済サイト、および前記消費者が前記オンラインマルシェライブイベント期間外にも希望する商品またはサービスを購入可能とするためのオンライン決済サイトを実現するプログラムを備えたサーバーを有する、請求項１または２に記載のオンラインマルシェシステム。